(57)【要約】【課題】  顧客に対し似合うヘアスタイルを提案する。【解決手段】  顧客２２の属性を表す属性データと、身体的な特徴を表す特徴パラメータとが、顧客カルテ３４１に記録される。サーバ３００では、予め属性データ及び特徴パラメータに対応付けられてスタイルコンテンツデータベース３３０に保管される複数のヘアスタイルデータ３３１及びカラーリングデータ３３２の中から、顧客カルテ３４１に記録される顧客２２の属性データ及び特徴パラメータに適合するヘアスタイルデータ及びカラーリングデータを検索すると共に、予め撮像された顧客の顔面部分の画像と、検索されたヘアスタイルデータ及びカラーリングデータとを合成し、顧客２２のイメージ画像を生成する。生成されたイメージは、客観的に顧客２２に似合うとされるヘアスタイルを有する顧客２２の画像として、顧客２２に提案される。【選択図】  図５
2005321986.tif 000002
【特許請求の範囲】
【請求項１】
複数のヘアスタイルの画像データを、任意の顧客に係る所定の特徴を示す特徴パラメータに夫々対応付けて保管する第１のデータベースと、
一の顧客に係る前記特徴に対応する前記特徴パラメータを特定する特定手段と、
前記第１のデータベースに保管されるヘアスタイルの画像データの中から、前記特定された特徴パラメータに適合するヘアスタイルの画像データを検索する検索手段と、
前記検索されたヘアスタイルの画像データに基づいて、前記一の顧客に提案されるべき第１のイメージを生成するイメージ生成手段と、
前記第１のイメージを表示する表示手段と
を具備することを特徴とするヘアスタイル提案システム。
【請求項２】
前記第１のデータベースは更に、複数のヘアカラーの画像データを、前記特徴パラメータに夫々対応付けて保管し、
前記検索手段は更に、前記第１のデータベースに保管されるヘアカラーの画像データの中から、前記特定された特徴パラメータに適合するヘアカラーの画像データを検索し、
前記イメージ生成手段は更に、前記検索されたヘアカラーの画像データに基づいて、前記一の顧客に提案されるべき第２のイメージを生成し、
前記表示手段は更に、前記第２のイメージを表示する
ことを特徴とする請求項１に記載のヘアスタイル提案システム。
【請求項３】
前記イメージ生成手段は、前記検索されたヘアカラーの画像データと、前記生成された第１のイメージとに基づいて、前記第２のイメージを生成する
ことを特徴とする請求項２に記載のヘアスタイル提案システム。
【請求項４】
前記特定手段は、前記一の顧客を撮像する撮像手段と、前記撮像された顧客の画像データを生成する顧客画像データ生成手段とを具備し、該生成された顧客の画像データに基づいて、前記特徴パラメータを特定する
ことを特徴とする請求項１から３のいずれか一項に記載のヘアスタイル提案システム。
【請求項５】
前記イメージ生成手段は、前記検索されたヘアスタイルの画像データ及び前記検索されたヘアカラーの画像データのうち少なくとも一方と、前記生成された顧客の画像データとに基づいて、前記第１又は第２のイメージを生成する
ことを特徴とする請求項４に記載のヘアスタイル提案システム。
【請求項６】
前記第１のデータベースは更に、頭部を含むサンプルの画像データを前記特徴パラメータに対応付けて複数種類保管し、
前記検索手段は更に、前記第１のデータベースに保管されるサンプルの画像データの中から、前記特定された特徴パラメータに適合するサンプルの画像データを検索し、
前記イメージ生成手段は、前記検索されたヘアスタイルの画像データ及び前記検索されたヘアカラーの画像データのうち少なくとも一方と、前記生成された顧客の画像データ及び前記検索されたサンプルの画像データのうち少なくとも一方とに基づいて、前記第１又は第２のイメージを生成する
ことを特徴とする請求項４に記載のヘアスタイル提案システム。
【請求項７】
前記特徴パラメータは、複数種類存在すると共に該複数種類に対して予め優先順位が付与されており、
前記検索手段は、前記優先順位に従って、前記特定された特徴パラメータに適合するヘアスタイル又はヘアカラーの画像データを検索する
ことを特徴とする請求項１から６のいずれか一項に記載のヘアスタイル提案システム。
【請求項８】
前記表示手段に表示される前記第１又は第２のイメージを所定の記録媒体に出力可能な出力手段を更に具備する
ことを特徴とする請求項１から７のいずれか一項に記載のヘアスタイル提案システム。
【請求項９】
前記第１のデータベースによって保管される前記複数のヘアスタイルの画像データ及び前記複数のヘアカラーの画像データのうち少なくとも一方は、追加、削除、又は変更することが可能である
ことを特徴とする請求項１から８のいずれか一項に記載のヘアスタイル提案システム。
【請求項１０】
前記第１のデータベースは、前記生成された第１のイメージ及び前記生成された第２のイメージのうち少なくとも一方を、前記ヘアスタイルの画像データ及び前記ヘアカラーの画像データのうち少なくとも一方として新たに保管する
ことを特徴とする請求項９に記載のヘアスタイル提案システム。
【請求項１１】
前記一の顧客の基本属性を示す所定の属性を前記顧客毎に属性データとして入力することが可能な入力手段と、
前記入力された属性データを前記顧客毎に保管する第２のデータベースと
を更に具備し、
前記第２のデータベースは更に、前記特定された特徴パラメータを前記入力された属性データと対応付けて保管し、
前記第１のデータベースは更に、前記ヘアスタイルの画像データ、前記ヘアカラーの画像データ、及び前記頭部を含むサンプルの画像データのうち少なくとも一つを、前記属性と対応付けて保管し、
前記検索手段は更に、前記第1のデータベースから、前記入力された属性データに適合する、前記ヘアスタイルの画像データ、前記ヘアカラーの画像データ、及び前記サンプルの画像データのうち少なくとも一つを検索し、
前記イメージ生成手段は更に、前記検索されたヘアスタイルの画像データ、ヘアカラーの画像データ、及びサンプルの画像データのうち少なくとも一つに基づいて、前記第１又は第２のイメージを生成する
ことを特徴とする請求項１から１０のいずれか一項に記載のヘアスタイル提案システム。
【請求項１２】
前記第１のデータベース、前記特定手段、前記検索手段、前記イメージ生成手段、及び前記第２のデータベースは、ネットワークに収容されると共に、前記ネットワークを介して通信可能なサーバに設けられており、
前記入力手段及び前記表示手段は、前記ネットワークに収容されると共に前記ネットワークを介して前記サーバと通信可能なクライアントに設けられており、
前記クライアントは、前記入力された属性データを、前記ネットワークを介して前記サーバに送信し、
前記サーバは、前記送信された属性データを前記第２のデータベースに保管すると共に、前記イメージ生成手段によって生成される前記第１及び第２のイメージのうち少なくとも一方を、前記ネットワークを介して前記クライアントに送信し、
前記クライアントは、前記受信された第１又は第２のイメージを表示する
ことを特徴とする請求項１１に記載のヘアスタイル提案システム。
【請求項１３】
複数のヘアスタイルの画像データを、任意の顧客に係る所定の特徴を示す特徴パラメータに夫々対応付けて保管する第１のデータベースを具備するヘアスタイル提案システムにおけるヘアスタイル提案方法であって、
一の顧客に係る前記特徴に対応する前記特徴パラメータを特定する特定工程と、
前記第１のデータベースに保管されるヘアスタイルの画像データの中から、前記特定された特徴パラメータに適合するヘアスタイルの画像データを検索する検索工程と、
前記検索されたヘアスタイルの画像データに基づいて、前記一の顧客に提案されるべき第１のイメージを生成するイメージ生成工程と、
前記第１のイメージを表示する表示工程と
を具備することを特徴とするヘアスタイル提案方法。
【請求項１４】
コンピュータシステムを、請求項１から１２のいずれか一項に記載のヘアスタイル提案システムとして機能させることを特徴とするコンピュータプログラム。
【発明の詳細な説明】
【技術分野】
【０００１】
本発明は、ヘアスタイル提案システム、ヘアスタイル提案方法、及びコンピュータプログラムの技術分野に関する。
【背景技術】
【０００２】
例えば、美容室においてヘアカット等をする場合、顧客は、所望するヘアスタイルを雑誌や予め用意されたヘアカタログから指定することが多い。この方法では、顧客とスタイリストとの相互認識が一致していないこと等に起因して、カット後のヘアスタイルに不満をもつ顧客も少なくない。そこで、このような不満を低減させるための技術が提案されている（例えば、特許文献１乃至３参照）。
【０００３】
特許文献１に記載の理美容室選択システム（以下、「第１の従来技術」とする）によれば、顧客が有する情報端末機からヘアスタイル等の検索条件を入力すると、店舗情報及びスタイリスト情報等が記憶された第１のデータベースから当該検索条件に合致した理美容室が検索手段によって検索される。従って、顧客は所望するヘアスタイルに合致した理美容室を選択することが可能であるとされている。
【０００４】
また、特許文献２に記載のヘアスタイルシミュレーションシステム（以下、「第２の従来技術」とする）によれば、複数のヘアスタイルサンプルを記憶するヘアスタイルデータベースと、ユーザの頭部の写真データを記憶するユーザデータベースを備えており、ユーザは、自身が所望するヘアスタイルのイメージを入力するだけで、それに合ったヘアスタイルを見ることが可能であると共に、そのヘアスタイルを自身の写真データと組み合わせることによって、そのヘアスタイルが自身に似合うのか否かを確認することが可能であるとされている。尚、このような確認が可能であるとされる技術は、特許文献３（（以下、「第３の従来技術」とする）にも開示されている。
【０００５】
【特許文献１】特開２００１−３４４４９２号公報
【特許文献２】特開２００２−３２８９９５号公報
【特許文献３】特開２０００−２３１６２３号公報
【発明の開示】
【発明が解決しようとする課題】
【０００６】
しかしながら、係る従来技術は、以下に示す問題点を有する。
【０００７】
第１の従来技術では、ヘアスタイルに応じて理美容室が選択可能であるに過ぎず、検索されたヘアスタイルが自分に似合うものか否かを確認することはできない。また、第２及び第３の従来技術では、顧客は自身が所望する髪型との整合性を主観的に確認することが可能であるに過ぎず、本当に自分に似合うヘアスタイルであるかを確認することは困難である。即ち、係る従来技術では、顧客は客観的なデータに基づいて自分に似合うヘアスタイルを見つけ出すことが困難である。
【０００８】
本発明は、上述した問題点に鑑みてなされたものであり、例えば、顧客に対して、その顧客に似合ったヘアスタイルを提案することが可能なヘアスタイル提案システム、ヘアスタイル提案方法、及びコンピュータプログラムを提供することを課題とする。
【課題を解決するための手段】
【０００９】
上述した課題を解決するため、請求項１に記載のヘアスタイル提案システムは、複数のヘアスタイルの画像データを、任意の顧客に係る所定の特徴を示す特徴パラメータに夫々対応付けて保管する第１のデータベースと、一の顧客に係る前記特徴に対応する前記特徴パラメータを特定する特定手段と、前記第１のデータベースに保管されるヘアスタイルの画像データの中から、前記特定された特徴パラメータに適合するヘアスタイルの画像データを検索する検索手段と、前記検索されたヘアスタイルの画像データに基づいて、前記一の顧客に提案されるべき第１のイメージを生成するイメージ生成手段と、前記第１のイメージを表示する表示手段とを具備することを特徴とする。
【００１０】
上述した課題を解決するため、請求項１３に記載のヘアスタイル提案方法は、複数のヘアスタイルの画像データを、任意の顧客に係る所定の特徴を示す特徴パラメータに夫々対応付けて保管する第１のデータベースを具備するヘアスタイル提案システムにおけるヘアスタイル提案方法であって、一の顧客に係る前記特徴に対応する前記特徴パラメータを特定する特定工程と、前記第１のデータベースに保管されるヘアスタイルの画像データの中から、前記特定された特徴パラメータに適合するヘアスタイルの画像データを検索する検索工程と、前記検索されたヘアスタイルの画像データに基づいて、前記一の顧客に提案されるべき第１のイメージを生成するイメージ生成工程と、前記第１のイメージを表示する表示工程とを具備することを特徴とする。
【００１１】
上述した課題を解決するため、請求項１４に記載のコンピュータプログラムは、コンピュータシステムを、請求項１から１２のいずれか一項に記載のヘアスタイル提案システムとして機能させることを特徴とする。
【発明を実施するための最良の形態】
【００１２】
＜ヘアスタイル提案システムの実施形態＞
ヘアスタイル提案システムの実施形態は、複数のヘアスタイルの画像データを、任意の顧客に係る所定の特徴を示す特徴パラメータに夫々対応付けて保管する第１のデータベースと、一の顧客に係る前記特徴に対応する前記特徴パラメータを特定する特定手段と、前記第１のデータベースに保管されるヘアスタイルの画像データの中から、前記特定された特徴パラメータに適合するヘアスタイルの画像データを検索する検索手段と、前記検索されたヘアスタイルの画像データに基づいて、前記一の顧客に提案されるべき第１のイメージを生成するイメージ生成手段と、前記第１のイメージを表示する表示手段とを具備する。
【００１３】
ヘアスタイル提案システムの実施形態によれば、その動作時には、特定手段によって、顧客の特徴を表す特徴パラメータが特定される。検索手段は、特定された特徴パラメータに適合するヘアスタイルの画像データを、予め複数のヘアスタイルの画像データを特徴パラメータと対応付けて保管する第１のデータベースから検索する。この検索された画像データから、特徴パラメータが特定された顧客に提案されるべき第１のイメージが生成され、表示手段によって表示される。
【００１４】
ここで、「特徴パラメータ」とは、例えば、顔型、髪質、毛量、クセ、又は肌色等の身体的な特徴を表すパラメータである。
【００１５】
第１のデータベースに保管されるヘアスタイルの画像データは、この特徴パラメータに対応付けられて保管されているから、検索手段は、顧客に適合すると客観的に判断されたヘアスタイルを検索することが可能である。即ち、検索手段によって検索されるヘアスタイルは、従来のように顧客が自身の嗜好に基づいて主観的に選択したヘアスタイルとは全く異なり、客観的にある程度の適合性が担保されたヘアスタイルである。このようにして検索された画像データに基づいて生成される第１のイメージは、顧客の嗜好に関わらない、又は顧客の嗜好の範囲から更に絞り込まれた、客観的にみて「顧客に似合う」ヘアスタイルのイメージとなる。従って、ヘアスタイル提案システムの実施形態によれば、顧客に対し、その顧客に似合ったヘアスタイルを提案することが可能となるのである。
【００１６】
ヘアスタイル提案システムの実施形態の一の態様では、前記第１のデータベースは更に、複数のヘアカラーの画像データを、前記特徴パラメータに夫々対応付けて保管し、前記検索手段は更に、前記第１のデータベースに保管されるヘアカラーの画像データの中から、前記特定された特徴パラメータに適合するヘアカラーの画像データを検索し、前記イメージ生成手段は更に、前記検索されたヘアカラーの画像データに基づいて、前記一の顧客に提案されるべき第２のイメージを生成し、前記表示手段は更に、前記第２のイメージを表示する。
【００１７】
係る態様によれば、第１のデータベースが更にヘアカラーの画像データを特徴パラメータに対応付けて保管しているから、検索手段は顧客に似合うヘアカラーの画像データを検索することが可能である。従って、ヘアスタイルと同様にして顧客に似合ったヘアカラーを提案することが可能となる。
【００１８】
ヘアスタイル提案システムの実施形態の他の態様では、前記イメージ生成手段は、前記検索されたヘアカラーの画像データと、前記生成された第１のイメージとに基づいて、前記第２のイメージを生成する。
【００１９】
この態様によれば、検索されたヘアカラーの画像データと第１のイメージとに基づいて第２のイメージが生成されるから、顧客に似合うヘアスタイル及びヘアカラーを同時に提案することが可能である。
【００２０】
ヘアスタイル提案システムの実施形態の他の態様では、前記特定手段は、前記一の顧客を撮像する撮像手段と、前記撮像された顧客の画像データを生成する顧客画像データ生成手段とを具備し、該生成された顧客の画像データに基づいて、前記特徴パラメータを特定する。
【００２１】
この態様によれば、撮像手段及び顧客画像データ生成手段によって、顧客の画像データが生成されると共に、この顧客の画像データに基づいて特徴パラメータが特定されるから、特徴パラメータが極めて高い客観性を有することとなって、顧客に高品質な提案を行うことが可能である。
【００２２】
ヘアスタイル提案システムの実施形態の他の態様では、前記イメージ生成手段は、前記検索されたヘアスタイルの画像データ及び前記検索されたヘアカラーの画像データのうち少なくとも一方と、前記生成された顧客の画像データとに基づいて、前記第１又は第２のイメージを生成する。
【００２３】
この態様によれば、第１又は第２のイメージが、顧客の画像データに基づいて生成されるから、顧客に対し高品質な提案を行うことが可能である。
【００２４】
ヘアスタイル提案システムの実施形態の他の態様では、前記第１のデータベースは更に、頭部を含むサンプルの画像データを前記特徴パラメータに対応付けて複数種類保管し、前記検索手段は更に、前記第１のデータベースに保管されるサンプルの画像データの中から、前記特定された特徴パラメータに適合するサンプルの画像データを検索し、前記イメージ生成手段は、前記検索されたヘアスタイルの画像データ及び前記検索されたヘアカラーの画像データのうち少なくとも一方と、前記生成された顧客の画像データ及び前記検索されたサンプルの画像データのうち少なくとも一方とに基づいて、前記第１又は第２のイメージを生成する。
【００２５】
この態様によれば、第１のデータベースが更に、頭部を含むサンプルの画像データを複数種類保管すると共に、第１又は第２のイメージが、顧客の画像データ及びサンプルの画像データのうち少なくとも一方に基づいて生成されるから、第１又は第２のイメージの選択幅が広がり、顧客に対し、更に高品質な提案を行うことが可能である。
【００２６】
ヘアスタイル提案システムの実施形態の他の態様では、前記特徴パラメータは、複数種類存在すると共に該複数種類に対して予め優先順位が付与されており、前記検索手段は、前記優先順位に従って、前記特定された特徴パラメータに適合するヘアスタイル又はヘアカラーの画像データを検索する。
【００２７】
この態様によれば、特徴パラメータが複数種類存在する場合に、特徴パラメータに優先順位が付与されているから、検索手段の検索効率を向上させることが可能である。
【００２８】
ヘアスタイル提案システムの実施形態の他の態様では、前記表示手段に表示される前記第１又は第２のイメージを所定の記録媒体に出力可能な出力手段を更に具備する。
【００２９】
この態様によれば、表示手段による表示結果を所定の記録媒体に出力可能であるから、ヘアスタイル又はヘアカラーの提案を場所や時間等によらずに行うことが可能である。
【００３０】
尚、ここで述べられる「所定の記録媒体に出力」とは、ＣＤ−Ｒ、ＣＤ−ＲＷ、ＤＶＤ―Ｒ、若しくはＤＶＤ−ＲＡＭ等の光情報記録媒体、又はＭＯ等の光磁気記録媒体への画像データとしての記録、及び、紙やフィルム等の媒体への印刷を含み、顧客に対してヘアスタイルの提案が可能な態様を全て包括する概念である。
【００３１】
このように記録媒体への出力を可能とした場合には、本発明に係るヘアスタイル提案システムが設置されていない、例えば、顧客の自宅等においても、イメージや画像を確認することが簡便にして可能となる。また、美容室やヘアサロン等、ヘアスタイル提案システムが設置されている場所において、スタイリスト等が、提案したヘアスタイルを容易に確認することも可能となる。
【００３２】
ヘアスタイル提案システムの実施形態の他の態様では、前記第１のデータベースによって保管される前記複数のヘアスタイルの画像データ及び前記複数のヘアカラーの画像データのうち少なくとも一方は、追加、削除、又は変更することが可能である。
【００３３】
この態様によれば、第１のデータベースに記憶されるヘアスタイル及びヘアカラーの画像データの少なくとも一方を新たに追加したり、削除したり、又は変更したりすることが可能となるから、顧客に対し一層高品質な提案を行うことが可能である。
【００３４】
ヘアスタイル提案システムの実施形態の他の態様では、前記第１のデータベースは、前記生成された第１のイメージ及び前記生成された第２のイメージのうち少なくとも一方を、前記ヘアスタイルの画像データ及び前記ヘアカラーの画像データのうち少なくとも一方として新たに保管する。
【００３５】
この態様によれば、第１のイメージ及び第２のイメージのうち少なくとも一方を、ヘアスタイルの画像データ及びヘアカラーの画像データのうち少なくとも一方として新たに保管することが可能となるから、徐々にヘアスタイルの画像データ及びヘアカラーの画像データのうち少なくとも一方が時間の経過と共に充実し、顧客への提案の品質が一層高まる。
【００３６】
ヘアスタイル提案システムの実施形態の他の態様では、前記一の顧客の基本属性を示す所定の属性を前記顧客毎に属性データとして入力することが可能な入力手段と、前記入力された属性データを前記顧客毎に保管する第２のデータベースとを更に具備し、前記第２のデータベースは更に、前記特定された特徴パラメータを前記入力された属性データと対応付けて保管し、前記第１のデータベースは更に、前記ヘアスタイルの画像データ、前記ヘアカラーの画像データ、及び前記頭部を含むサンプルの画像データのうち少なくとも一つを、前記属性と対応付けて保管し、前記検索手段は更に、前記第1のデータベースから、前記入力された属性データに適合する、前記ヘアスタイルの画像データ、前記ヘアカラーの画像データ、及び前記サンプルの画像データのうち少なくとも一つを検索し、前記イメージ生成手段は更に、前記検索されたヘアスタイルの画像データ、ヘアカラーの画像データ、及びサンプルの画像データのうち少なくとも一つに基づいて、前記第１又は第２のイメージを生成する。
【００３７】
ここで、「属性」とは、名前、年齢、性別、職業、趣味、目的、来店日等を表す情報である。この属性は、顧客毎に属性データとして入力される。入力された顧客毎の属性データは、第２のデータベースに保管されるが、この際、第２のデータベースには、特定された特徴パラメータが、この属性データと対応付けて保管される。また、第１のデータベースに保管されるヘアスタイルの画像データ、ヘアカラーの画像データ、及びサンプル画像データのうち少なくとも一つは、属性に対応付けられて保管されている。従って、この態様によれば、顧客管理を簡便に行うことが可能となると共に、顧客の属性に基づいて一層高品質な提案を行うことが可能となる。
【００３８】
ヘアスタイル提案システムの実施形態の他の態様では、前記第１のデータベース、前記特定手段、前記検索手段、前記イメージ生成手段、及び前記第２のデータベースは、ネットワークに収容されると共に、前記ネットワークを介して通信可能なサーバに設けられており、前記入力手段及び前記表示手段は、前記ネットワークに収容されると共に前記ネットワークを介して前記サーバと通信可能なクライアントに設けられており、前記クライアントは、前記入力された属性データを、前記ネットワークを介して前記サーバに送信し、前記サーバは、前記送信された属性データを前記第２のデータベースに保管すると共に、前記イメージ生成手段によって生成される前記第１及び第２のイメージのうち少なくとも一方を、前記ネットワークを介して前記クライアントに送信し、前記クライアントは、前記受信された第１又は第２のイメージを表示する。
【００３９】
この態様によれば、第１のデータベース、特定手段、検索手段、イメージ生成手段、及び第２のデータベースがネットワークに収容されると共に、係るネットワークを介して通信可能なサーバに設けられ、入力手段及び表示手段が、このネットワークに収容されると共に、このネットワークを介してサーバと通信可能なクライアントに設けられているため、係るネットワークを利用した利便性の極めて高い提案を行うことが可能である。
【００４０】
また、サーバに収容される第１のデータベース、特定手段、検索手段、イメージ生成手段、及び第２のデータベースは、その一部、又は全てが、ネットワークを介したダウンロード等によってクライアントに収容され、それが使用されるようにしてもよい。
＜ヘアスタイル提案方法の実施形態＞
ヘアスタイル提案方法の実施形態は、複数のヘアスタイルの画像データを、任意の顧客に係る所定の特徴を示す特徴パラメータに夫々対応付けて保管する第１のデータベースを具備するヘアスタイル提案システムにおけるヘアスタイル提案方法であって、一の顧客に係る前記特徴に対応する前記特徴パラメータを特定する特定工程と、前記第１のデータベースに保管されるヘアスタイルの画像データの中から、前記特定された特徴パラメータに適合するヘアスタイルの画像データを検索する検索工程と、前記検索されたヘアスタイルの画像データに基づいて、前記一の顧客に提案されるべき第１のイメージを生成するイメージ生成工程と、前記第１のイメージを表示する表示工程とを具備する。
【００４１】
ヘアスタイル提案方法の実施形態によれば、特定工程によって特定される特徴パラメータに適合するヘアスタイルの画像データが、検索工程によって検索されるので、顧客に似合ったヘアスタイルを提案することが可能である。
【００４２】
尚、ヘアスタイル提案方法の実施形態の他の態様として、第１のデータベースが更に複数のヘアカラーの画像データを特徴パラメータに対応付けて記憶している場合には、特定工程によって特定される特徴パラメータに適合するヘアカラーの画像データが検索工程によって検索されてもよい。更に、イメージ生成工程において、特徴パラメータが特定された顧客に提案されるべき第２のイメージが係るヘアカラーの画像データに基づいて生成されると共に表示工程において、係る第２のイメージが表示されてもよい。このようなヘアスタイル提案方法によれば、顧客に似合ったヘアカラーを提案することも可能である。
【００４３】
更に、前記特定工程は、一の顧客を撮像する撮像工程と、撮像された顧客の画像データを生成する顧客画像データ生成工程とを備え、生成された顧客の画像データに基づいて、前記特徴パラメータが特定されてもよい。この態様によれば、特徴パラメータを客観的に特定することが可能となるので、顧客に対する提案の品質を一層高めることも可能である。
＜コンピュータプログラムの実施形態＞
コンピュータプログラムの実施形態は、コンピュータシステムを、上記いずれかヘアスタイル提案システムとして機能させる。
【００４４】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータシステムに読み込んで実行させれば、或いは、当該コンピュータプログラムを、例えば、通信手段等を介してコンピュータシステムにダウンロードさせた後に実行させれば、上述した本発明のヘアスタイル提案システムに係る実施形態を比較的簡単に実現可能である。
【００４５】
尚、上述した本発明のヘアスタイル提案システムに係る実施形態における各種態様に対応して、本発明のコンピュータプログラムに係る実施形態も各種態様を採ることが可能である。
【００４６】
以上説明したように、本発明に係るヘアスタイル提案システムの実施形態によれば、第１のデータベース、特定手段、検索手段、イメージ生成手段、及び表示手段を具備するので、顧客に似合ったヘアスタイルを提案することが可能である。ヘアスタイル提案方法の実施形態によれば、特定工程、検索工程、イメージ生成工程、及び表示工程を具備するので、顧客に似合ったヘアカラーを提案することが可能である。コンピュータプログラムの実施形態によれば、コンピュータシステムを上記したヘアスタイル提案システムとして機能させるので、上述した本発明のヘアスタイル提案システムに係る実施形態を比較的簡単に実現可能である。
【００４７】
本発明のこのような効果及び他の利得は以下に説明する実施例により明らかにされる。
【実施例】
【００４８】
以下、図面を参照して本発明の実施例について説明する。
＜実施例の構成＞
最初に、図１を参照して、本発明の実施例に係るヘアスタイル提案システムの構成について説明する。ここに、図１は、ヘアスタイル提案システム１００の概念図である。
【００４９】
図１において、ヘアスタイル提案システム１００は、ネットワーク１０に夫々接続された端末システム２００及びサーバ３００からなる。
【００５０】
ネットワーク１０は、例えば、一般の電話回線やＡＤＳＬ（Asymmetric Digital Subscriber Line）等を利用したインターネット環境等に代表される広域ネットワークである。尚、ネットワーク１０は、Ethernet（登録商標）規格等に代表されるＬＡＮ（Local Area Network：構内通信網）であってもよい。
【００５１】
端末システム２００は、美容室２０に設置されており、ネットワーク１０を介してサーバ３００と通信可能に構成された、本発明に係る「クライアント」の一例である。端末システム２００は、例えば、美容室２０に勤務するスタイリスト２１が、来店する顧客２２に対し、顧客２２に似合ったヘアスタイルを提案することが可能に構成されている。尚、本実施例に係る顧客２２とは、美容室２０に来店する不特定多数の顧客のうちの一を指す。
【００５２】
ここで、図２を参照して、端末システム２００の詳細構成について説明する。ここに、図２は、端末システム２００のブロック図である。
【００５３】
図２において、端末システム２００は、制御部２１０、表示部２２０、入力部２３０、通信部２４０、撮像装置２５０、画像処理部２６０、及びプリンタ２７０を備える。
【００５４】
制御部２１０は、端末システム２００の後述する各部の動作を制御することが可能に構成されている。
【００５５】
表示部２２０は、例えば、プラズマディスプレイ等で構成された表示モニタであり、顧客２２に対してヘアスタイルを提案する際にサーバ３００から送信される画像を表示することが可能に構成されている。
【００５６】
入力部２３０は、例えば、キーボード、又はマウス等のポインティングデバイスであり、スタイリスト（美容師等を指す趣旨である）２１によって、顧客２２の後述する属性等を入力することが可能に構成されている。尚、入力部２３０は、タッチパネルディスプレイのように、表示部２２０と一体に構成されていてもよい。
【００５７】
通信部２４０は、例えば、モデム等であり、端末システム２００とサーバ３００との間のデータの送受信を可能とする。
【００５８】
撮像装置２５０は、例えば、ディジタルカメラであり、顧客２２を様々な角度又は方向から撮像することが可能に構成された、本発明に係る「撮像手段」の一例である。
【００５９】
画像処理部２６０は、撮像装置２５０によって撮像された顧客２２の画像データを生成することが可能に構成されている。画像処理部２６０は、撮像手段２５０と一体に構成されていてもよいし、例えば、スキャナ装置のように、外部入力される顧客２２の画像を画像データに変換することが可能に構成されていてもよい。
【００６０】
プリンタ２７０は、例えば、インクジェット方式やレーザ方式のプリンタ装置であり、表示部２２０に表示される内容を、制御部２１０による制御に従って印刷することが可能に構成されている。
【００６１】
図１に戻り、サーバ３００はネットワーク１０上で運用されるサーバであり、ネットワーク１０を介して相互に接続される端末システム２００との間でデータの送受信が可能となるように構成されている。尚、本実施例において、サーバ３００は、会員登録がなされたユーザ（ここでは、美容室２０）にのみ接続が許可されたサーバであり、接続を許可されたユーザに対し、後述するヘアスタイル提案サービスを供給することが可能に構成されている。
【００６２】
ここで、図３を参照して、サーバ３００の詳細な構成について説明する。ここに、図３は、サーバ３００のブロック図である。
【００６３】
図３において、サーバ３００は、制御部３１０、及び記憶部３２０を備える。
【００６４】
制御部３１０は、サーバ３００の動作を制御すると共に、本発明に係る「特定手段」、「検索手段」、及び「イメージ生成手段」の夫々一例として機能することが可能に構成されている。
【００６５】
記憶部３２０は、スタイルコンテンツデータベース（以下、適宜「ＳＣＤＢ」と称する）３３０、及びカスタマスタイルデータベース（以下、適宜「ＣＳＤＢ」と称する）３４０を備える。
【００６６】
ＳＣＤＢ３３０は、本発明に係る「第1のデータベース」の一例であり、ヘアスタイルデータ３３１、カラーリングデータ３３２、及びフェイスサンプル３３３を夫々保管することが可能に構成されている。
【００６７】
ヘアスタイルデータ３３１は、本発明に係る「複数のヘアスタイルの画像データ」の一例であり、例えば数千種類のヘアスタイルの画像データである。本実施例において、ヘアスタイルデータ３３１を構成する個々のヘアスタイルの画像データは、夫々、前面（即ち、顔面）、両側面、及び後面の４方向から見た画像データから構成されている。尚、ヘアスタイルデータ３３１を構成するヘアスタイルの種類数は何ら限定されない。また、個々のヘアスタイルの画像データについても、上述したような４方向に限らず、更に多様な方向からみた画像データを含んでいてもよいし、例えば、前面からみた画像データのみであってもよい。尚、これ以降、ヘアスタイルデータ３３１を構成する個々のヘアスタイルデータについては、適宜「ヘアスタイルデータ」と称することとする。
【００６８】
カラーリングデータ３３２は、本発明に係る「複数のヘアカラーの画像データ」の一例であり、例えば、数百種類のヘアカラーの画像データである。ヘアカラーデータ３３２は、色見本のような単なる色データであってもよいし、サンプルとなるヘアスタイルを当該色でカラーリングしてヘアカラーをイメージし易くした画像データであってもよい。また、毛束と称される一定量の毛髪の束について、カラーリングを施してある画像データであってもよい。尚、カラーリングデータ３３２によって示されるヘアカラーの種類数は、ここに述べる数百種類に限定されず自由に決定されてよい。尚、ヘアスタイルデータ３３１と同様に、カラーリングデータ３３２を構成する個々のヘアカラーの画像データについては、これ以降、適宜「カラーリングデータ」と称することとする。
【００６９】
フェイスサンプル３３３は、本発明に係る「頭部を含むサンプルの画像データ」の一例であり、数千種類の顔面部分の画像データである。この画像データには、ファッションモデル等の顔面の画像データが使用される。また、フェイスサンプル３３３は、一つのフェイスサンプルについて、ヘアスタイルデータ３３１と同方向からみた４つの画像データを含んでいる。尚、一つのフェイスサンプル３３３における画像データの数は、これに限定されない。尚、ヘアスタイルデータ３３１と同様に、フェイスサンプル３３３を構成する個々の顔面部分の画像データについては、これ以降、適宜「フェイスサンプル」と称することとする。
【００７０】
一方、ヘアスタイルデータ３３１、カラーリングデータ３３２、及びフェイスサンプル３３３は、夫々顧客２２を特定するための特徴パラメータ、及び属性に夫々対応付けられるようにして、ＳＣＤＢ３３０に保管されている。
【００７１】
特徴パラメータは、人間の顔型、髪質、毛量、クセ、肌色等、顧客２２の頭部に関する身体的特徴を表す複数のカテゴリからなるパラメータである。顔型のカテゴリに関する特徴パラメータは、例えば、丸型、逆三角型、細型、五角形型等を指定する値からなり、髪質に関しては、例えば、「硬い」から「柔らかい」までを段階的に表した値からなる。毛量に関しては、例えば、「多い」から「少ない」までを段階的に表した値からなり、クセに関しては、「強い」から「弱い」までを段階的に表した値からなる。また、肌色を表す特徴パラメータは、例えば、「黒色」、「茶色」から「白色」までを段階的に表した値からなる。
【００７２】
属性は、年齢、性別、職業、趣味、目的等、顧客２２のライフスタイルを表す複数カテゴリからなるパラメータである。個々のカテゴリにおいて、属性は、夫々属性データとして与えられる。例えば、性別ならば、「男性」又は「女性」のいずれかが属性データであり、年齢ならば、一定の年齢幅で区分けされた年齢層が属性データである。更に、職業ならば、予め用意された複数の職業又は職種の中から選択された職業が、趣味ならば、例えば、「テニス」や「料理」等が属性データとなる。また、目的を表す属性情報としては、例えば、「アウトドアスポーツをする」とか「結婚式に出席する」と言った、多様な目的又はシチュエーションが属性データとなる。
【００７３】
ＳＣＤＢ３３０は、ヘアスタイルデータ３３１、カラーリングデータ３３２、及びフェイスサンプル３３３を、夫々、適合する特徴パラメータ、及び属性データの情報と共に保管している。このような保管の形態は、本発明に係る「対応付け」の一例である。
【００７４】
尚、ヘアスタイルデータ３３１、及びカラーリングデータ３３２は、必ずしも全ての特徴パラメータ及び属性データと対応付けられている必要は無い。例えば、ヘアカラーと顔型とは殆ど相関はないと考えられ、最もヘアカラーと相関が高いと考えられるのは肌色の特徴パラメータである。従って、カラーリングデータ３３２が、肌色の特徴パラメータにだけ対応付けられていてもよい。逆にヘアスタイルと肌色の特徴パラメータとは相関が低いから、予めヘアスタイルデータ３３１と肌色の特徴パラメータとの対応付けはなされていなくともよい。
【００７５】
尚、フェイスサンプル３３３は、顔型のサンプル画像データであるから、適合するというよりは、顧客２２と近しい顔型を選択することが可能なように、顔型の特徴パラメータと、年齢及び性別といった属性に対応付けられていれば十分である。
【００７６】
尚、個々のヘアスタイルデータが、どの特徴パラメータに、又はどの属性データに適合するかの情報は、サーバ３００と接続される全ての美容室間で基準が変動しないように、予め店舗毎の嗜好や、顧客の主観的基準とは無関係に決定されている。例えば、カリスマ美容師と称されるような複数のヘアスタイリストの意見や、不特定多数に対するアンケートの集計結果等に基づいて係る情報は与えられており、高い客観性を有している。
【００７７】
また、ヘアスタイル及びヘアカラーには流行が存在する。流行によっては、新規なヘアスタイルの登場や、これまで「似合わない」とされたヘアスタイルが「似合う」と評価される場合も生じ得る。そこで、ＳＣＤＢ３３０に保管されるデータは新規に追加が可能であると共に、適合する特徴パラメータや属性データを適宜更新することが可能に構成されている。
【００７８】
ＣＳＤＢ３４０は、本発明に係る「第２のデータベース」の一例であり、美容室２０に固有に設定されたデータベースである。ＣＳＤＢ３４０は、顧客２２の属性データ及び特徴パラメータを保管することが可能に構成されている。この顧客２２毎の属性データ及び特徴パラメータは、ＣＳＤＢ３４０上で、顧客カルテ３４１として保管されている。
【００７９】
ここで、図４を参照して、顧客カルテ３４１について説明する。ここに、図４は、顧客カルテ３４１の模式図である。
【００８０】
図４において、顧客カルテ３４１は、顧客画像エリア３４２、属性エリア３４３、及び特徴パラメータエリア３４４から構成されている。顧客画像エリア３４２は、顧客２２の顔写真等、顧客２２を識別するための画像が表示された部分である。属性エリア３４２には、前述の属性が属性データとして示されている。即ち、名前、性別、年齢、職業、来店日、目的等が示されている。また、この属性エリア３４２には、予め用意された属性とは別に、例えば、好みのファッションブランドや、よく読む雑誌等、顧客２２のキャラクタを明確化するような付帯情報を記録しておくことも可能である。特徴パラメータエリア３４４には、前述の特徴パラメータが記録されている。例えば、図４に示される顧客２２は、顔が丸型で髪質がやや柔らかく、毛量は多めで、クセが強く、肌の色合いが茶色の顧客である。
＜実施例の動作＞
次に、図５を参照し、ヘアスタイル提案システム１００の動作について、ヘアスタイル提案システム１００を使用して行われるヘアスタイル提案サービスの内容と共に説明する。ここに、図５は、ヘアスタイル提案サービスのフローチャートである。
【００８１】
美容室２０において、端末システム２００は、常時サーバ３００と接続されている。顧客２２が美容室２０に来店した際、美容室２０においては先ず、顧客２２が新規の顧客であるか否かが判別される（ステップＳ４０１）。顧客２２が新規に来店した顧客であった場合（ステップＳ４０１：ＹＥＳ）、顧客２２を担当するスタイリスト２１（以降、適宜「担当者」と称する）は、顧客２２に対する顧客カルテ３４１を作成する（ステップＳ４０２）。
【００８２】
顧客カルテ３４１が作成される際、最初に、顧客２２に名前、年齢、及び職業等の欄が設けられた所定の用紙が配布され、顧客２２によって適宜記入される。用紙への記入が終了すると、担当者は、記入された内容を、入力部２３０から入力し、サーバ３００へ送信する。サーバ３００では、制御部３１０が、送信されたデータに基づいて新規の顧客カルテ３４１を生成する。生成された顧客カルテ３４１は、制御部３１０によって、ＣＳＤＢ３４０に新たな顧客情報として保管されると共に、端末システム２００に送信される。端末システム２００では、通信部２４０を介して受信された顧客カルテ３４１の画像が表示部２２０に表示される。この時点で表示される顧客カルテ３４１は、図４における属性エリア３４３のみが記録されたカルテである。
【００８３】
一方、顧客２２が、新規に来店した顧客ではない場合、（ステップＳ４０１：ＮＯ）、担当者は、顧客２２の顧客カルテ３４１をサーバ３００からダウンロードする（ステップＳ４０３）。制御部３１０は、ＣＳＤＢ３４０から、該当する顧客２２の顧客カルテ３４１を検索し、端末システム２００に対して送信する。端末システム２００では、通信部２４０を介して受信された顧客カルテ３４１の画像が表示部２２０に表示される。
【００８４】
ステップＳ４０２又はステップＳ４０３によって、顧客２２に対する顧客カルテ３４１が表示部２２０に表示されると、美容室２０において、顧客２２が撮影される（ステップＳ４０４）。
【００８５】
担当者は、顧客２２を撮像装置２５０によって撮像する。この際、前面、両側面、及び後面の計４面の写真が撮影される。また、髪質を測定するための頭髪の拡大写真が併せて撮影される。撮影された画像は、画像処理部２６０によって画像データに変換され、表示部２２０に表示される。
【００８６】
顧客２２は、撮影結果が満足行くものであるか否かを判別する（ステップＳ４０５）。満足行かない場合には（ステップＳ４０５：ＮＯ）、満足行くまで担当者に撮影を要求すると共に、満足した場合には（ステップＳ４０５：ＹＥＳ）、担当者にその旨を申し出る。担当者は、顧客２２の画像データをサーバ３００へ送信するための指示を入力部２３０から行う。制御部２１０は、入力された指示に基づいて、顧客２２の画像データを、通信部２４０を介してサーバ３００へ送信する。
【００８７】
サーバ３００では、制御部３１０が、受信された顧客２２の画像データから特徴パラメータを特定する（ステップＳ４０６）。この際、制御部３１０は、例えば、顧客２２の前面の画像データからは顔型及び肌色の特徴パラメータを、頭髪の画像データから髪質、毛量、及びクセ等の特徴パラメータを夫々特定する。この特定に必要なリファレンスデータは、予めサーバ３００に格納されている。尚、このステップＳ４０６は、本発明に係る「特定工程」の一例である。
【００８８】
特定された特徴パラメータは、顧客カルテ３４１に反映され、顧客カルテ３４１の特徴パラメータエリア３４４に、最新の特徴パラメータとして記録される。また、顧客カルテ３４１が新規の顧客２２に関するものである場合には、制御部３１０は、受信された顧客２２の画像データから、前面の画像データを顧客カルテ３４１の顧客画像エリア３４２に貼り付ける。この時点で、顧客カルテ３４１が最新のものに更新される。
【００８９】
制御部３１０は、顧客カルテ３４１から顧客２２の特徴パラメータ及び属性データを参照すると共に、ＳＣＤＢ３３０に格納されるヘアスタイルデータ３３１及びカラーリングデータ３３２の中から、顧客２２の特徴パラメータ及び属性データに適合するヘアスタイルデータ及びカラーリングデータを検索する（ステップＳ４０７）。尚、ステップＳ４０７は、本発明に係る「検索工程」の一例である。
【００９０】
検索結果は、制御部３１０によって、端末システム２００に送信されると共に、端末システム２００の制御部２１０は、通信部２４０を介して受信したヘアスタイルデータ及びカラーリングデータを、表示部２２０にリストとして表示する。
【００９１】
顧客２２は、表示部２２０にリストとして表示されるヘアスタイルデータ及びカラーリングデータの中から、所望するヘアスタイル及びヘアカラーを選択する（ステップＳ４０８）。
【００９２】
尚、この検索の結果、顧客２２に該当するヘアスタイルデータが少なかった場合には、検索条件を変更することも可能である。本実施例において、顧客カルテ３４１に記録される特徴パラメータには優先順位が付与されている。即ち、顔型、髪質、毛量、クセ、肌色の順に高い優先順位を与えられている。この優先順位は、顧客との適合性に与える影響が大きいとされる順に付与されており、例えば、検索条件から、優先順位の低いクセと肌色を除外しても、顧客との適合性は大きく損なわれない。一方で、検索結果は係る二つを除くことによって増加するから、顧客２２の選択の幅は大きく広がることとなって好適である。
【００９３】
また、反対に、検索結果が多過ぎる場合には、検索条件を増やすことも可能である。例えば、制御部３１０が係る検索の際に参照する顧客２２の属性データは、顧客カルテ３４１に記録される属性データの全てではない。本実施例においては、性別、年齢、及び目的の属性データがデフォルトの参照値として設定されている。従って、更に、属性データから、職業や、趣味等を検索条件として追加することによって、更に顧客２２に似合ったヘアスタイル及びヘアカラーを検索することも容易である。
【００９４】
ヘアスタイル及びヘアカラーが選択されると、サーバ３００では、制御部３１０が、顧客２２に提案されるべきイメージ画像を生成する（ステップＳ４０９）。具体的には、顧客２２の画像データから、顔面に相当する部分を抽出すると共に、選択されたヘアスタイルデータ及びカラーリングデータと、抽出された顔面部分の画像データとを整合させ、顧客２２のイメージ画像を生成する。尚、ステップＳ４０９は、本発明に係る「イメージ生成工程」の一例である。
【００９５】
生成された顧客２２のイメージ画像は、本発明に係る「第１のイメージ」及び「第２のイメージ」の夫々一例が合成されたものであり、通信端末２００に送信されると共に、制御部２１０によって表示部２２０に表示される（ステップＳ４１０）。尚、ステップＳ４１０は、本発明に係る「表示工程」の一例である。
【００９６】
尚、本実施例においては、ヘアスタイルデータ及びカラーリングデータが同時に検索され、ヘアスタイルとヘアカラーとが同時に提案されているが、提案の態様はこれに限定されない。例えば、最初にヘアスタイルに関する顧客のイメージ画像（即ち、本発明に係る「第１のイメージ」の一例）が生成され、表示部２２０に表示されることによって、ヘアスタイルの提案のみが行われてもよい。その後、決定されたヘアスタイルに関する顧客のイメージに基づいて、ヘアカラーに関する顧客のイメージ画像（即ち、本発明に係る「第２のイメージ」の一例）が生成されてもよい。このようなサービスの態様によれば、カラーリングを希望しない顧客や、カラーリングのみを希望する顧客に対しても、効率の良い提案を実施することが可能である。また、ヘアスタイルとヘアカラーのイメージ画像は、合成されずに、夫々一画面上に相互に並んで表示されてもよい。いずれにしても、顧客はヘアスタイルとヘアカラーのイメージを同時に確認することができ、極めて高品質な提案を行うことが可能である。
【００９７】
尚、ヘアスタイル及びヘアカラーに関する顧客のイメージ画像が、相互に合成されずに夫々異なる画面上に表示されたとしても、本発明に係る効果は担保される。
【００９８】
尚、顧客２２によって選択されるヘアスタイルデータ及びカラーリングデータは、複数種類であっても構わない。例えば、最終的に検索結果の中に顧客２２が所望するヘアスタイルデータが１０個あるような場合には、係る１０個のヘアスタイルデータ夫々について、イメージ画像が生成されてもよい。
【００９９】
尚、顧客２２によっては、表示されるイメージ画像に自身の顔面部分の画像が使用されることを好まない場合がある。その場合には、端末システム２００からサーバ３００の制御部３１０に対し、顧客２２の顔型の特徴パラメータ並びに年齢及び性別の属性データに基づいて、ＳＣＤＢ３３０に保管されるフェイスサンプル３３３から顧客２２に類似したフェイスサンプルを検索して端末システム２００に送信するよう要求してもよい。
【０１００】
顧客２２は、表示部２２０に表示されるイメージ画像が満足なものか否かを判別する（ステップＳ４１１）。イメージ画像に満足しない場合、顧客２２は、新たなヘアスタイル又はヘアカラーを選択し、顧客２２の満足が得られるまで、イメージ画像の生成及び表示が継続される。顧客２２が表示されるイメージ画像に満足した場合（ステップＳ４１１：ＹＥＳ）、係るイメージは、制御部３１０により、最終的な提案結果として顧客カルテ３４１に記録されると共に、端末システム２００において、プリンタ２７０によって紙等の媒体に印刷され、ユーザ２２に渡されてヘアスタイル提案サービスが終了する。
【０１０１】
以上説明したように、本実施例に係るヘアスタイル提案システム１００によれば、顧客２２に似合ったヘアスタイル及びヘアカラーを効率的に提案することが可能となる。
【０１０２】
尚、特徴パラメータは、必ずしも、ここで述べたような、撮像装置２５０及び画像処理部２６０によって生成される画像データに基づいて特定される必要はない。例えば、単に入力部２２０から、顧客の特徴パラメータを入力することが可能に構成されていてもよい。この場合、スタイリスト２１が提案すべきパラメータを入力して、顧客２２に提案することも可能である。
【０１０３】
尚、上述の実施例では、ヘアスタイル提案システム１００は、ネットワーク１０を介して繋がる端末システム２００及びサーバ３００から構成されていたが、例えば、端末システム２００に対し、サーバ３００と代替し得る、本発明に係る「コンピュータプログラム」の一例たるアプリケーションプログラムが、ＣＤ−ＲＯＭやＤＶＤ等の記録媒体に記録されて配布されていてもよい。この場合、端末システム２００上で制御部２１０が係るアプリケーションプログラムを実行することによって、本発明に係るヘアスタイル提案サービスをクライアント側のみで簡便に実施することも可能である。更に、係る場合には、例えば流行のヘアスタイルや新作のヘアカラー等が夫々追加の画像データとして配布されてもよい。
【０１０４】
尚、端末システム２００の設置場所は美容室２０に限定されるものではない。例えば、サーバ３００に収容されるＳＣＤＢ３３０、ＣＳＤＢ３４０、並びに、本発明に係る特定手段、検索手段、及びイメージ生成手段又はこれら手段に対応する制御部３１０の機能は、その一部、又は全てが、ネットワークを介したダウンロード等によってクライアントに収容され、使用されてもよい。こうすることによって、美容室の如き特定の場所に限定されずに、顧客が自宅のネットワーク接続された端末や携帯端末等のモバイル機器からも本発明に係るヘアスタイル提案システムを利用することが可能となる。
【０１０５】
尚、ヘアスタイル提案システム１００を使用して行われるヘアスタイル提案サービスの態様は、上述のものに限定されない。例えば、顧客に似合ったヘアスタイル又はヘアカラーを提案する以外に、顧客２２が所望するヘアスタイル又はヘアカラーと、顧客２２との適合度を客観的に診断することも可能である。
【０１０６】
本発明は、上述した実施例に限られるものではなく、請求の範囲及び明細書全体から読み取れる発明の要旨或いは思想に反しない範囲で適宜変更可能であり、そのような変更を伴うヘアスタイル提案システム、ヘアスタイル提案方法、及びコンピュータプログラムもまた、本発明の技術的範囲に含まれるものである。
【図面の簡単な説明】
【０１０７】
【図１】本発明の実施例に係るヘアスタイル提案システム１００の概念図である。
【図２】ヘアスタイル提案システム１００における、端末システム２００のブロック図である。
【図３】ヘアスタイル提案システム１００における、サーバ３００のブロック図である。
【図４】ＣＳＤＢ３４０に保管される顧客カルテ３４１の模式図である。
【図５】ヘアスタイル提案システム１００によって実現されるヘアスタイル提案サービスのフローチャートである。
【符号の説明】
【０１０８】
１０…ネットワーク、２０…美容室、２１…スタイリスト、２２…顧客、１００…ヘアスタイル提案システム、２００…端末システム、２１０…制御部、２２０…表示部、２３０…入力部、２４０…通信部、２５０…撮像装置、２６０…画像処理部、２７０…プリンタ、３００…サーバ、３１０…制御部、３２０…記憶部、３３０…スタイルコンテンツデータベース、３３１…ヘアスタイルデータ、３３２…カラーリングデータ、３３３…フェイスサンプル、３４０…カスタマスタイルデータベース、３４１…顧客カルテ。
【図１】
2005321986.tif 000003
【図２】
2005321986.tif 000004
【図３】
2005321986.tif 000005
【図４】
2005321986.tif 000006
【図５】
2005321986.tif 000007